(57)【要約】      （修正有）【課題】係止突起にロックアームを係止させてドアの開放を制限しているドアガードを、ドアの外からの操作によりロックアームの係止を外し、解除するという悪質手口がある。このような悪質手口によるドアガード解除を防止するドアガード解除防止具を提供する。【解決手段】ドアガード解除防止具１として、ロックアーム２５が係止されている状態の係止突起の首部を案内導入する切欠溝４−３および案内導入した首部に係合する係合凹部４−５とを少なくとも具えた正面部４と、それと共にロックアームを横から抱きかかえる形で摺動自在となるよう設けられた第１側片部２および第２側片部３とを具えたものを提供する。このドアガード解除防止具１をロックアーム２５が係止されている係止突起に装着しておけば、ロックアームを回動して外すことが出来ないので、上記悪質手口による解除を防止出来る。【選択図】図３
0003194889.tif 000002
【実用新案登録請求の範囲】
【請求項１】
係止突起にロックアームを係止することによりドアを所定範囲にしか開かないようにするドアガードの解除を防止するためのドアガード解除防止具であって、
ロックアームが係止されている状態の係止突起の突起首部（１３）を案内導入する切欠溝（４−３）および案内導入した突起首部（１３）に係合する係合凹部（４−５）とを少なくとも具えた正面部（４）と、
該正面部と共にロックアームの横から抱きかかえる形で摺動自在となるよう該正面部の上辺に沿って設けられた第１側片部（２）および下辺に沿って設けられた第２側片部（３）と
を具えたことを特徴とするドアガード解除防止具。
【請求項２】
係止突起にロックアームを係止することによりドアを所定範囲にしか開かないようにするドアガードの解除を防止するためのドアガード解除防止具であって、
板状体で形成される正面部（４）と第１側片部（２）と第２側片部（３）とから構成され、
前記正面部（４）は、
ほぼ長方形をした平板状本体（４−１）と、
該平板状本体（４−１）の上辺に沿って横方向に直線的に延設された第１脚片（４−２）と，
前記係止突起の首部の直径より大ではあるがその頭部の直径よりは小の幅で、第１脚片（４−２）と平行に設けられた切欠溝（４−３）と、
該切欠溝（４−３）の最奥部において第１脚片（４−２）側に食い込んで前記首部が係合するよう設けられた係合凹部（４−５）と、
前記切欠溝（４−３）を隔てて第１脚片（４−２）と平行に設けられた第２脚片（４−４）と
を具えるよう構成され、
前記第１側片部（２）は、
正面部（４）の上辺に沿い、正面部（４）に対して直角方向で且つロックアーム上面幅よりやや大の幅で設けられた第１側片（２−１）と、
該第１側片（２−１）の遊端側において下方へ向かって設けられた第１爪片（２−２）とを具えるよう構成され、
前記第２側片部（３）は、
正面部（４）の下辺のうち第２脚片（４−４）の部分を除いた部分に、第１側片（２−１）と平行で且つ同じ幅となるよう設けられた第２側片（３−１）と、
該第２側片（３−１）の遊端側に第１爪片（２−２）と対向するよう上方へ向かって設けられた第２爪片（３−２）と
を具えるよう構成され
ていることを特徴とするドアガード解除防止具。
【請求項３】
第１側片部（２）を設ける範囲を、正面部（４）の上辺に沿って平板状本体（４−１）から第１脚片（４−２）の途中位置までとしたことを特徴とする請求項１または２記載のドアガード解除防止具。
【考案の詳細な説明】
【技術分野】
【０００１】
本考案は、ドアガードが泥棒等により玄関外から解除されるのを防止するためのドアガード解除防止具に関するものである。
【背景技術】
【０００２】
玄関ドア等には、しばしばドアガードが施されている。ドアガードは、係止突起部を成している金具とロックアーム部を成している金具とからなり、いずれか一方の金具をドアに取り付け、他方の金具をドア枠に取り付けて使用する。
ロックアームを係止突起に係止すると、ドアは所定の狭い範囲しか開かないようにされる。そのため、来訪者の顔を確認しながら応対することは可能としつつも、泥棒等の不審な人の侵入を防止することが出来る。また、ドアを少し開けたままに保つことにより、そこからの通風を可能ならしむることが出来る。
【０００３】
次にドアガードおよびその使用要領について詳細に説明する。
図６は、ロックをしてない状態のドアガードを示す図である。図６において、８はドア枠、９はドア、１０は係止突起部、１１は取付基体、１２はねじ、１３は突起首部、１４は突起頭部、２０はロックアーム部、２１は取付基体、２２はねじ、２３は軸受体、２４は軸、２５はロックアーム、２６は先端部、２７は基端部、２７−１は傾斜部、２８は拡開部、２９はガイド溝である。Ａはロックアーム２５の上下方向の高さであり、Ｂはロックアーム２５の幅であり、Ｃは矢印である。
ここでは、ドア枠８の側に係止突起部１０を取り付け、ドア９の側にロックアーム部２０を取り付けた例を示している。
【０００４】
係止突起部１０は、平板な取付基体１１と、その中央に植立された突起首部１３と、突起首部１３の先端に形成された突起頭部１４とから構成されている。つまり、係止突起は突起首部１３と突起頭部１４とから成る。取付基体１１は、ねじ１２によりドア枠８に取り付けられている。
ロックアーム部２０は、平板な取付基体２１とロックアーム２５とから成っている。取付基体２１はねじ２２によりドア９に取り付けられている。取付基体２１の表面には、２つの軸受体２３が間隔をあけて植立されている。ロックアーム２５は全体として細長いＵ字形の形状とされ、２６がその先端部であり、２７がその基端部である。基端部２７の一部は傾斜部２７−１とされ、基端同士の間隔を少し大として間に拡開部２８が形成されるようにされる。２つの基端部２７は、それぞれ軸２４により軸受体２３に軸支されて回動自在とされる。
図６はロックをしてない状態のドアガードを示すものであるから、ロックアーム２５は、それが取り付けられている側（ドア９側）の壁面に沿う位置まで回動されており、相手方の係止突起部１０に係止されてはいない。
【０００５】
図７は、ロックする際の第１段階にあるドアガードを示す図である。この段階は、ドア９を閉じた状態で、ロックアーム２５を図６の矢印Ｃで示す方向に回動し、係止突起部１０が取り付けられている側（この場合、ドア枠８側）の壁面に沿う位置まで移動させたという段階である。この段階では、係止突起部１０の突起頭部１４が、ロックアーム部２０の拡開部２８の空間から突出する形となっている。
図８は、ロックする際の第２段階にあるドアガードを示す図である。符号は図６のものに対応し、３０はドア９を開いた時にドア枠８との間にできる隙間である。この段階は、係止突起部１０の突起頭部１４はガイド溝２９の外に突出させた状態で、突起首部１３をガイド溝２９内に保ちつつ、ドア９をゆっくり開いて行くという段階である。このとき突起頭部１４は、ロックアーム２５に沿って先端部２６の方へ移動して行く。
【０００６】
図９は、ロックする際の第３段階にあるドアガードを示す図である。この段階はロックアーム部２０を係止突起部１０に係合した状態で、ドア９を開放可能な限度いっぱいまで開いたという段階である。突起頭部１４はロックアーム２５の先端部２６まで移動させられている。
この時に出来る隙間３０の大きさは、玄関を通しての所要の通風を可能にすると共に、来訪者の顔を確認しながら応対したり書類の受渡しをしたりすることは出来るが、人が侵入することは出来ない大きさとされている。
【先行技術文献】
【特許文献】
【０００７】
【特許文献１】特開平９−００４３０４号公報
【特許文献２】特開２０１１−２０８４３７号公報
【考案の概要】
【考案が解決しようとする課題】
【０００８】
前記したようなドアガードには、特殊な手口を心得た泥棒等によれば、容易に解除されてしまうという問題点があった。
ドアガードが破られる場合としては、２つの場合がある。第１の場合は、図９で示すようにドアガードが掛けられている状態で、隙間３０から強力な金属切断器具を差し込まれ、ロックアーム２５が物理的に切断される場合である。この場合には、ドアガードは当然破壊され、泥棒に侵入される。
【０００９】
第２の場合は、ドアの外からドアガードを物理的に破壊することなく操作し、ロックアームを係止突起から外して（解除して）しまうという場合である。この特殊な手口をここで詳細に説明することは、泥棒の手口を詳細に説明することとなり、公序良俗に反することとなる。従って、それをここですることは差し控える。
ただ何も説明しないのでは課題が理解出来ないと思われるので、手口の原則だけ説明しておく。まず図９の状態で或る特殊な操作を施し、次に係止突起が当初の位置（拡開部２８の中）となるようにする（図７参照）。次にロックアーム２５を係止突起から外れる方向へ回動する（図７の矢印Ｄ）。
本考案は、上記第２の場合のように、ドア外の者によりドアガードが破壊されることなく解除されてしまうという問題点を解決することを課題とするものである。
【課題を解決するための手段】
【００１０】
前記課題を解決するため、本考案では、係止突起にロックアームを係止することによりドアを所定範囲にしか開かないようにするドアガードの解除を防止するためのドアガード解除防止具として、ロックアームが係止されている状態の係止突起の突起首部（１３）を案内導入する切欠溝（４−３）および案内導入した突起首部（１３）に係合する係合凹部（４−５）とを少なくとも具えた正面部（４）と、該正面部と共にロックアームの横から抱きかかえる形で摺動自在となるよう該正面部の上辺に沿って設けられた第１側片部（２）および下辺に沿って設けられた第２側片部（３）とを具えたことを特徴とするドアガード解除防止具を提供することとした。
【００１１】
また、係止突起にロックアームを係止することによりドアを所定範囲にしか開かないようにするドアガードの解除を防止するためのドアガード解除防止具として、以下に説明するような正面部（４）と第１側片部（２）と第２側片部（３）とから成るドアガード解除防止具を提供することとした。
【００１２】
即ち、正面部（４）は、ほぼ長方形をした平板状本体（４−１）と、該平板状本体（４−１）の上辺に沿って横方向に直線的に延設された第１脚片（４−２）と、前記係止突起の首部の直径より大ではあるがその頭部の直径よりは小の幅で、第１脚片（４−２）と平行に設けられた切欠溝（４−３）と、該切欠溝（４−３）の最奥部において第１脚片（４−２）側に食い込んで前記首部が係合するよう設けられた係合凹部（４−５）と、前記切欠溝（４−３）を隔てて第１脚片（４−２）と平行に設けられた第２脚片（４−４）と
を具えるよう構成される。
【００１３】
前記第１側片部（２）は、正面部（４）の上辺に沿い、正面部（４）に対して直角方向で且つロックアーム上面幅よりやや大の幅で設けられた第１側片（２−１）と、該第１側片（２−１）の遊端側において下方へ向かって設けられた第１爪片（２−２）とを具えるよう構成される。
前記第２側片部（３）は、正面部（４）の下辺のうち第２脚片（４−４）の部分を除いた部分に、第１側片（２−１）と平行で且つ同じ幅となるよう設けられた第２側片（３−１）と、該第２側片（３−１）の遊端側に第１爪片（２−２）と対向するよう上方へ向かって設けられた第２爪片（３−２）とを具えるよう構成される。
【００１４】
また、前記したドアガード解除防止具において、第１側片部（２）を設ける範囲を、正面部（４）の上辺に沿って平板状本体４−１から第１脚片（４−２）の途中位置までとしてもよい。
【考案の効果】
【００１５】
本考案のドアガード解除防止具を、ドアガードのロックアームと係止状態にある係止突起の突起首部に係合しておけば、ロックアームを外す方向へ回動することを阻止出来る。そのため、たとえドアの外から特殊な手口を使ってロックアームを外そうとしても、ドアガードが解除されることはない。
【図面の簡単な説明】
【００１６】
【図１】本考案にかかわるドアガード解除防止具の斜視図
【図２】本考案にかかわるドアガード解除防止具を示す図
【図３】ドアガード解除防止具の装着直前の状況を示す図
【図４】ドアガード解除防止具の装着完了時の状況を示す図
【図５】ドアが少し閉じられた場合のドアガード解除防止具の状況を示す図
【図６】ロックしてない状態のドアガードを示す図
【図７】ロックする際の第１段階にあるドアガードを示す図
【図８】ロックする際の第２段階にあるドアガードを示す図
【図９】ロックする際の第３段階にあるドアガードを示す図
【考案を実施するための形態】
【００１７】
以下、本考案の実施形態を図面に基づいて詳細に説明する。
図１は本考案にかかわるドアガード解除防止具の斜視図である。図１において、１はドアガード解除防止具、２は第１側片部、２−１は側片、２−２は爪片、３は第２側片部、３−１は側片、３−２は爪片、４は正面部、４−１は平板状本体、４−２は第１脚片、４−３は切欠溝、４−４は第２脚片、４−５は係合凹部、５は段部である。
ドアガード解除防止具１は、薄い板状体（例、金属板）で作られ、全体として板状の長方形の正面部４と、その上辺に沿って設けられた第１側片部２と、下辺に沿って設けられた第２側片部３とから構成される。
【００１８】
正面部４は、平板状本体４−１，第１脚片４−２，切欠溝４−３および第２脚片４−４等とで形成される。平板状本体４−１の縦方向（上下方向）の長さは、ロックアーム２５の上下方向の高さＡ（図６参照）よりやや大とされる。
第１脚片４−２は、平板状本体４−１の横方向（図１では右横方向）に上辺に沿って直線的に延設される。切欠溝４−３は、第１脚片４−２と平行に直線的に設けられる溝であり、その幅はドアガードの係止突起の突起首部の直径より大ではあるが、その突起頭部の直径よりは小の幅とされる。係合凹部４−５は、切欠溝４−３の最奥部の第１脚片４−２側に食い込むよう、係止突起の突起首部が係合するよう設けられた凹部である。第２脚片４−４は、切欠溝４−３を隔てて前記第１脚片４−２と平行に設けられる。段部５は、第２脚片４−４と平板状本体４−１の下辺との間に出来ている段である。
【００１９】
第１側片部２は、側片２−１と爪片２−２とから成っており、正面部４の上辺に沿って設けられる。但し、第１脚片４−２の先端はドアガードに差し込む時の先端になるので、差し込みを容易にするため、第１脚片４−２に沿う部分の側片２−１は、第１脚片４−２の先端まで設けるのではなく、必要に応じて途中の位置までに留めるようにしてもよい（図１では途中の位置までのものを示している）。
側片２−１は、正面部４に対して直角方向で且つドアガードのロックアーム幅（図６の幅Ｂ）よりやや大の幅で設けられる。爪片２−２は、側片２−１の遊端側において下方へ向かって延設される。その幅は、ロックアーム２５の側面に係止し得る幅とされる。
【００２０】
第２側片部３は、側片３−１と爪片３−２とから成っており、正面部４の下辺のうち第２脚片４−４の部分を除いた部分に沿って設けられる。側片３−１は、側片２−１と平行で且つ同じ幅となるよう設けられる。爪片３−２は、側片３−１の遊端側に爪片２−２と対向するよう上方へ向かって延設される。
【００２１】
図２は、本考案にかかわるドアガード解除防止具を示す図である。符号は図１のものに対応し、Ｅは内部高であり、Ｆは内部幅である。そして、図２の（１）は正面図，（２）は左側面図，（３）は上面図，（４）は裏面図，（５）は右側面図，（６）は下面図である。
内部高Ｅは、図２（２）に示すようにドアガード解除防止具１の内部の高さであり、この高さ（正面部４の縦方向の長さにほぼ等しい）は、ドアガードのロックアーム高Ａ（図６参照）よりやや大にする。内部幅Ｆは、図２（５）に示すようにドアガード解除防止具１の内部の幅であり（これは側片部２の幅にほぼ等しい）、この幅はドアガードのロックアーム幅Ｂよりやや大にする。
そのようにする理由は、本考案のドアガード解除防止具１は、ロックアーム２５をその先端部２６から内部に導き入れ、ロックアーム２５を横から抱きかかえる形に装着し、ロックアーム２５に沿って摺動自在となるようにしたものであるからである。つまり、ドアガード解除防止具１は、ロックアームの先端から被せて使用する。
【００２２】
次に、ドアガード解除防止具１の装着の要領を説明する。
図３はドアガード解除防止具の装着直前の状況を示す図であり、符号は図１，図９のものに対応している。図３の右半分は、係止突起部１０に係止されているロックアーム２５の先端付近を示している。ドアガード解除防止具１は、第１脚片４−２，第２脚片４−４の側が、係止突起部１０の方へ向けられている。
【００２３】
装着は次のような順序で行う。
（１）ドアガード解除防止具１をロックアーム２５の先端部２６に向かって矢印Ｇのように進め、係止突起部１０の突起首部１３（図３には図示されていないが図８参照）を切欠溝４−３に導き入れるよう、第１脚片４−２と第２脚片４−４を差し込む。
（２）ドアガード解除防止具１をそのまま前進させ、その内部にロックアーム２５を受け入れて行く（逆に言うならば、ロックアーム２５にガード解除防止具１を被せてゆく）。
（３）突起首部１３が切欠溝４−３の奥に突き当たってドアガード解除防止具１の前進が停止させられたところで、ドアガード解除防止具１を下方に下ろし、突起首部１３を係合凹部４−５に係合させる。これにより装着が完了する。
図４は、ドアガード解除防止具の装着完了時の状況を示す図である。
【００２４】
次に、ドアガード解除防止具１を装着しておけば、なぜ解除が防止できるのかを説明する。
特殊手口によるドアガードの解除は、ロックアーム２５を係止突起に係止したままでドア９が最大に開かれている状態（図９）から、ドア９を閉めて行き図９→図８→図７の状態へと戻し、この状態でロックアーム２５を矢印Ｄのように回動することにより行われる。つまり、図７のように、ロックアーム部２０の拡開部２８に、係止突起部１０の突起頭部１４が戻された状態で行われる。
従って、突起頭部１４が拡開部２８に戻されるのを防止できれば、ドアガードの解除を防止できることになる。あるいは、ロックアーム部２０の形状は図示したもの以外にもいろいろあるから、その形状によっては拡開部２８に戻される場合もあるかも知れないが、たとえ戻されたとしてもロックアーム２５が矢印Ｄのように回動されるのを防止できれば、やはりドアガードの解除を防止できることになる。
本考案のドアガード解除防止具１は、以下に説明するように、突起頭部１４が拡開部２８に戻るのを防止したり、あるいはたとえ戻されたとしてもロックアーム２５が外されるのを防止する。
【００２５】
図５は、ドアが少し閉じられた場合のドアガード解除防止具の状況を示す図である。ドアが少し閉じられると、係止突起部１０の突起頭部１４はガイド溝２９に沿ってロックアーム部２０の基部の方へ移動する。ドアガード解除防止具１は、係止突起部１０の突起首部１３（図５では現れていない）に係合されていると共に、正面部４と第１側片部２，第２側片部３とによりロックアーム２５を横から抱きかかえる形となっているから、ロックアーム２５から外れ落ちることなく係止突起部１０と共に移動して行く。
そのため、装着されているドアガード解除防止具１が邪魔をして（例えば基端部２７の一部に当たったりして）、係止突起部１０がロックアーム２５の基部の拡開部２８（図７参照）の位置まで移動するのが阻止される。仮に基端部２７の形状等の関係で拡開部２８まで移動させられたとしても、ドアガード解除防止具１は装着されたままであるから、それが邪魔になってロックアーム２５を係止突起部１０から外す方向（図７の矢印Ｄの方向）へ回動することは出来ない。これにより、ドアガードの解除が防止される。
【００２６】
以上説明したことからも分かるように、ドアガードの解除防止は、要するに係止突起がロックアーム２５の基部の拡開部２８へ移動させられるのを阻止するか、移動させられてもロックアーム２５が外れる方向へ回動されるのを阻止するかしさえすれば達成されるわけであるが、本考案はそれを達成しようとするものである。
そのためには、係止突起がガイド溝２９を左右に移動させられても、係止突起との係合状態を維持しつつ一緒に移動し、どこに移動してもロックアーム２５の回動を阻止する機能を維持することが求められる。
従って結局、本考案のドアガード解除防止具は、ロックアームが係止されている状態の係止突起の突起首部１３を案内導入する切欠溝４−３および案内導入した突起首部１３に係合する係合凹部４−５とを少なくとも具えた正面部４と、該正面部と共にロックアームの横から抱きかかえる形で摺動自在となるよう該正面部の上辺に沿って設けられた第１側片部２および下辺に沿って設けられた第２側片部３とを具えたものであればよい。
【符号の説明】
【００２７】
１…ドアガード解除防止具、２…第１側片部、２−１…側片、２−２…爪片、３…第２側片部、３−１…側片、３−２…爪片、４…正面部、４−１…平板状本体、４−２…第１脚片、４−３…切欠溝、４−４…第２脚片、４−５…係合凹部、５…段部、
８…ドア枠、９…ドア、１０…係止突起部、１１…取付基体、１２…ねじ、１３…突起首部、１４…突起頭部、２０…ロックアーム部、２１…取付基体、２２…ねじ、２３…軸受体、２４…軸、２５…ロックアーム、２６…先端部、２７…基端部、２８…拡開部、２９…ガイド溝、３０…隙間、Ａ…ロックアーム高、Ｂ…ロックアーム幅、Ｃ，Ｄ…矢印、Ｅ…内部高、Ｆ…内部幅、Ｇ…矢印
【図１】
0003194889.tif 000003
【図２】
0003194889.tif 000004
【図３】
0003194889.tif 000005
【図４】
0003194889.tif 000006
【図５】
0003194889.tif 000007
【図６】
0003194889.tif 000008
【図７】
0003194889.tif 000009
【図８】
0003194889.tif 000010
【図９】
0003194889.tif 000011